(57)【要約】【課題】通話とデータを同時に通信可能な携帯端末において、個人のプライバシーを保護した位置情報提供を通話しながらリアルタイムに送受可能とする。【解決手段】携帯端末１から位置検索許諾情報と自端末の位置情報と自端末，相手端末の端末情報とを、携帯端末２から位置検索要求情報と自端末，相手端末の端末情報とを受信し、いずれかの携帯端末の自端末情報を基に在圏情報を加入者在圏情報データベース６に問い合わせ、該当携帯端末の在圏している回線交換機５を取得する手段と、取得した回線交換機５に対し在圏情報を問い合わせた端末情報を送信して通話相手の端末情報を取得する手段と、回線交換機５から取得した通話相手の端末情報と、在圏情報を問い合わせなかった方の携帯端末から受信した自端末情報とが一致するかを照合し、一致した場合に携帯端末１の位置情報を携帯端末２に送信する手段とを、位置検索照合サーバ３に備える。【選択図】      図１
2005151014.tif 000002
【特許請求の範囲】
【請求項１】
通話中のデータ通信機能を備えた第１の携帯端末，第２の携帯端末と、位置検索照合サーバと、前記携帯端末に対する通話パスの提供を行う回線交換網と、前記携帯端末と前記位置検索照合サーバを接続するデータ通信サービス提供用のＩＰ網とを備えた通話相手の位置検索システムであって、
前記第１の携帯端末は、自端末の位置情報を取得し、位置検索許諾情報，自端末および通話相手である前記第２の携帯端末の端末情報とともに前記位置検索照合サーバに送信する手段を有し、
前記第２の携帯端末は、位置検索要求情報を自端末および通話相手である前記第１の携帯端末の端末情報とともに前記位置検索照合サーバに送信する手段と、前記位置検索照合サーバから送信された位置情報を表示する手段とを有し、
前記位置検索照合サーバは、前記第１および第２の携帯端末から受信した通話相手端末情報がそれぞれ一致しているかを照合する手段と、位置検索許諾情報および位置検索要求情報を受信したかを確認する手段と、前記照合が一致し位置検索許諾情報および位置検索要求情報の受信確認がなされた場合、前記第１の携帯端末の位置情報を前記第２の携帯端末に送信する手段とを有することを特徴とする通話相手の位置検索システム。
【請求項２】
通話中のデータ通信機能を備えた第１の携帯端末，第２の携帯端末と、回線交換機と、加入者在圏情報データベースと、位置検索照合サーバと、前記携帯端末に対する通話パスの提供や前記回線交換機と前記加入者在圏情報データベースを接続する回線交換網と、前記携帯端末と前記位置検索照合サーバを接続するデータ通信サービス提供用のＩＰ網とを備えた通話相手の位置検索システムであって、
前記第１の携帯端末は、自端末の位置情報を取得し、位置検索許諾情報，自端末および通話相手である前記第２の携帯端末の端末情報とともに前記位置検索照合サーバに送信する手段を有し、
前記第２の携帯端末は、位置検索要求情報を自端末および通話相手である前記第１の携帯端末の端末情報とともに前記位置検索照合サーバに送信する手段と、前記位置検索照合サーバから送信された位置情報を表示する手段とを有し、
前記回線交換機は、各携帯端末の通話パスを制御し、通話中の発信側，着信側端末情報を含む情報を格納，管理する手段を有し、
前記加入者在圏情報データベースは、前記回線交換機から各携帯端末の在圏状況を登録，更新され、各携帯端末がどこの回線交換機に在圏しているかを格納する手段を有し、
前記位置検索照合サーバは、位置検索許諾情報と位置検索要求情報を受信したことを確認した後、前記第１または第２の携帯端末の端末情報を基に在圏情報を前記加入者在圏情報データベースに問い合わせ、該当携帯端末の在圏している回線交換機を取得する手段と、取得した回線交換機に対し在圏情報を問い合わせた端末情報を送信して前記回線交換機から通話相手の端末情報を取得する手段と、前記回線交換機から取得した通話相手の端末情報と、在圏情報を問い合わせなかった方の携帯端末から受信した自端末の端末情報とが一致するかを照合する手段と、一致した場合は前記第１の携帯端末の位置情報を前記第２の携帯端末に送信する手段とを有することを特徴とする通話相手の位置検索システム。
【請求項３】
通話中のデータ通信機能を備えた第１の携帯端末，第２の携帯端末と、回線交換機と、加入者在圏情報データベースと、位置検索照合サーバと、前記携帯端末に対する通話パスの提供や前記回線交換機と前記加入者在圏情報データベースを接続する回線交換網と、前記携帯端末と前記位置検索照合サーバを接続するデータ通信サービス提供用のＩＰ網とを備えた通話相手の位置検索システムであって、
前記第１の携帯端末は、自端末の位置情報を取得し、位置検索許諾情報，自端末および通話相手である前記第２の携帯端末の端末情報とともに前記位置検索照合サーバに送信する手段を有し、
前記第２の携帯端末は、位置検索要求情報を自端末および通話相手である前記第１の携帯端末の端末情報とともに前記位置検索照合サーバに送信する手段と、前記位置検索照合サーバから送信された位置情報を表示する手段とを有し、
前記回線交換機は、各携帯端末の通話パスを制御し、通話中の発信側，着信側端末情報を含む情報を格納，管理する手段を有し、
前記加入者在圏情報データベースは、前記回線交換機から各携帯端末の在圏状況を登録，更新され、各携帯端末がどこの回線交換機に在圏しているかを格納する手段を有し、
前記位置検索照合サーバは、位置検索許諾情報と位置検索要求情報を受信したことを確認した後、前記第１および第２の携帯端末から受信した通話相手の端末情報がそれぞれ一致するかを照合する手段と、一致した場合は、前記第１または第２の携帯端末の端末情報を基に在圏情報を前記加入者在圏情報データベースに問い合わせ、該当携帯端末の在圏している回線交換機を取得する手段と、取得した回線交換機に対し在圏情報を問い合わせた端末情報を送信して前記回線交換機から通話相手の端末情報を取得する手段と、前記回線交換機から取得した通話相手の端末情報と、在圏情報を問い合わせなかった方の携帯端末から受信した自端末の端末情報とが一致するかを照合する手段と、一致した場合は前記第１の携帯端末の位置情報を前記第２の携帯端末に送信する手段とを有することを特徴とする通話相手の位置検索システム。
【請求項４】
前記位置検索照合サーバは、前記照合により位置情報提供可の確認ができた前記第１および第２の携帯端末の情報を登録する手段と、その後定期的に前記第１の携帯端末の位置情報を前記第２の携帯端末に通知する手段とを、さらに有することを特徴とする請求項１，２または３記載の通話相手の位置検索システム。
【請求項５】
前記位置検索システムに位置情報サーバをさらに備え、前記第２の携帯端末に送信される位置情報は、前記位置検索照合サーバが前記位置サーバに誤差補正を依頼し、前記位置情報サーバから受信した補正後の位置情報であることを特徴とする請求項１，２，３または４記載の通話相手の位置検索システム。
【請求項６】
通話中の双方の携帯端末からネットワークを介して受信した通話相手端末情報がそれぞれ一致しているかを照合する手段と、通話中の一方の携帯端末から位置検索許諾情報と自端末の位置情報を、他方の携帯端末から位置検索要求情報を受信したかを確認する手段と、前記照合が一致し位置検索許諾情報および位置検索要求情報の受信確認がなされた場合、位置検索許諾情報送信元の携帯端末の位置情報を位置検索要求情報送信元の携帯端末に送信する手段とを有することを特徴とする位置検索照合サーバ。
【請求項７】
通話中のデータ通信機能を備えた携帯端末と、回線交換機と、加入者在圏情報データベースとにネットワークを介して接続される位置検索照合サーバであって、通話中の一方の携帯端末から位置検索許諾情報と自端末の位置情報と自端末，相手端末の端末情報とを、他方の端末から位置検索要求情報と自端末，相手端末の端末情報とを受信したことを確認した後、いずれかの携帯端末の自端末情報を基に在圏情報を前記加入者在圏情報データベースに問い合わせ、該当携帯端末の在圏している回線交換機を取得する手段と、取得した回線交換機に対し在圏情報を問い合わせた端末情報を送信して前記回線交換機から通話相手の端末情報を取得する手段と、前記回線交換機から取得した通話相手の端末情報と、在圏情報を問い合わせなかった方の携帯端末から受信した自端末の端末情報とが一致するかを照合する手段と、一致した場合は位置検索許諾情報送信元の携帯端末の位置情報を位置検索要求情報送信元の携帯端末に送信する手段とを有することを特徴とする位置検索照合サーバ。
【請求項８】
通話中のデータ通信機能を備えた携帯端末と、回線交換機と、加入者在圏情報データベースとにネットワークを介して接続される位置検索照合サーバであって、通話中の一方の携帯端末から位置検索許諾情報と自端末の位置情報と自端末，相手端末の端末情報とを、他方の端末から位置検索要求情報と自端末，相手端末の端末情報とを受信したことを確認した後、通話中の双方の携帯端末から受信した通話相手端末情報がそれぞれ一致しているかを照合する手段と、前記照合が一致した場合、通話中のいずれかの携帯端末の端末情報を基に在圏情報を前記加入者在圏情報データベースに問い合わせ、該当携帯端末の在圏している回線交換機を取得する手段と、取得した回線交換機に対し在圏情報を問い合わせた端末情報を送信して前記回線交換機から通話相手の端末情報を取得する手段と、前記回線交換機から取得した通話相手の端末情報と、在圏情報を問い合わせなかった方の携帯端末から受信した自端末の端末情報とが一致するかを照合する手段と、一致した場合は位置検索許諾情報送信元の携帯端末の位置情報を位置検索要求情報送信元の携帯端末に送信する手段とを有することを特徴とする位置検索照合サーバ。
【請求項９】
前記照合により位置情報提供可の確認ができた通話中の携帯端末情報を登録する手段と、その後定期的に前記位置検索許諾情報送信元の携帯端末の位置情報を前記位置検索要求情報送信元の携帯端末に通知する手段とを、さらに有することを特徴とする請求項６，７または８記載の位置検索照合サーバ。
【請求項１０】
前記位置検索要求情報送信元の携帯端末に送信される位置情報は、外部装置に誤差補正を依頼し受信した補正後の位置情報であることを特徴とする請求項６，７，８または９記載の位置検索照合サーバ。
【請求項１１】
通話中の一方の端末から通話相手の位置情報の取得要求が、他方の端末から位置情報提供の許諾通知がそれぞれデータ通信ネットワークを介してサーバに送信されるとともに、双方の端末から送信された相手端末情報がそれぞれ一致した場合に、前記他方の端末から前記サーバが受信した位置情報を前記一方の端末に送信することを特徴とする通話相手の位置検索方法。
【請求項１２】
通話中の一方の端末から通話相手の位置情報の取得要求が、他方の端末から位置情報提供の許諾通知がそれぞれデータ通信ネットワークを介してサーバに送信され、前記サーバが回線交換機に対し双方の端末が通話中であるかを確認し、通話中の確認がとれた場合に、前記他方の端末から前記サーバが受信した位置情報を前記一方の端末に送信することを特徴とする通話相手の位置検索方法。
【請求項１３】
通話中の一方の端末から通話相手の位置情報の取得要求が、他方の端末から位置情報提供の許諾通知がそれぞれデータ通信ネットワークを介してサーバに送信されるとともに、双方の端末から送信された相手端末情報がそれぞれ一致した場合に、前記サーバが回線交換機に対し双方の端末が通話中であるかを確認し、通話中の確認がとれた場合に、前記他方の端末から前記サーバが受信した位置情報を前記一方の端末に送信することを特徴とする通話相手の位置検索方法。
【請求項１４】
通話中のデータ通信機能を備えた第１の携帯端末，第２の携帯端末と、位置検索照合サーバと、前記携帯端末に対する通話パスの提供を行う回線交換網と、前記携帯端末と前記位置検索照合サーバを接続するデータ通信サービス提供用のＩＰ網とを用いた通話相手の位置検索方法であって、
前記第１の携帯端末が、自端末の位置情報を取得し、位置検索許諾情報，自端末および通話相手である前記第２の携帯端末の端末情報とともに前記位置検索照合サーバに送信する第１の手順と、
前記第２の携帯端末が、位置検索要求情報を自端末および通話相手である前記第１の携帯端末の端末情報とともに前記位置検索照合サーバに送信する第２の手順と、
前記位置検索照合サーバが、前記第１および第２の携帯端末から受信した通話相手端末情報がそれぞれ一致しているかを照合する第３の手順と、
前記位置検索照合サーバが、位置検索許諾情報および位置検索要求情報を受信したかを確認する第４の手順と、
前記第３の手順における照合が一致し、前記第４の手順における位置検索許諾情報および位置検索要求情報の受信確認がなされた場合、前記第１の携帯端末の位置情報を前記第２の携帯端末に送信する手順と、を有することを特徴とする通話相手の位置検索方法。
【請求項１５】
通話中のデータ通信機能を備えた第１の携帯端末，第２の携帯端末と、回線交換機と、加入者在圏情報データベースと、位置検索照合サーバと、前記携帯端末に対する通話パスの提供や前記回線交換機と前記加入者在圏情報データベースを接続する回線交換網と、前記携帯端末と前記位置検索照合サーバを接続するデータ通信サービス提供用のＩＰ網とを用いた通話相手の位置検索方法であって、
前記第１の携帯端末が、自端末の位置情報を取得し、位置検索許諾情報，自端末および通話相手である前記第２の携帯端末の端末情報とともに前記位置検索照合サーバに送信する第１の手順と、
前記第２の携帯端末が、位置検索要求情報を自端末および通話相手である前記第１の携帯端末の端末情報とともに前記位置検索照合サーバに送信する第２の手順と、
前記位置検索照合サーバが、位置検索許諾情報と位置検索要求情報を受信したことを確認した後、前記第１または第２の携帯端末の端末情報を基に在圏情報を前記加入者在圏情報データベースに問い合わせ、該当携帯端末の在圏している回線交換機を取得する第３の手順と、
前記第３の手順で取得した回線交換機に対し、前記位置検索照合サーバが在圏情報を問い合わせた端末情報を送信して前記回線交換機から通話相手の端末情報を取得する第４の手順と、
前記位置検索照合サーバが、前記回線交換機から取得した通話相手の端末情報と、在圏情報を問い合わせなかった方の携帯端末から受信した自端末の端末情報とが一致するかを照合する第５の手順と、
前記第５の手順において一致した場合は、前記位置検索照合サーバが、前記第１の携帯端末の位置情報を前記第２の携帯端末に送信する第６の手順と、を有することを特徴とする通話相手の位置検索方法。
【請求項１６】
通話中のデータ通信機能を備えた第１の携帯端末，第２の携帯端末と、回線交換機と、加入者在圏情報データベースと、位置検索照合サーバと、前記携帯端末に対する通話パスの提供や前記回線交換機と前記加入者在圏情報データベースを接続する回線交換網と、前記携帯端末と前記位置検索照合サーバを接続するデータ通信サービス提供用のＩＰ網とを用いた通話相手の位置検索方法であって、
前記第１の携帯端末が、自端末の位置情報を取得し、位置検索許諾情報，自端末および通話相手である前記第２の携帯端末の端末情報とともに前記位置検索照合サーバに送信する第１の手順と、
前記第２の携帯端末が、位置検索要求情報を自端末および通話相手である前記第１の携帯端末の端末情報とともに前記位置検索照合サーバに送信する第２の手順と、
前記位置検索照合サーバが、位置検索許諾情報と位置検索要求情報を受信したことを確認した後、前記第１および第２の携帯端末から受信した通話相手の端末情報がそれぞれ一致するかを照合する第３の手順と、
前記第３の手順において一致した場合は、前記位置検索照合サーバが、前記第１または第２の携帯端末の端末情報を基に在圏情報を前記加入者在圏情報データベースに問い合わせ、該当携帯端末の在圏している回線交換機を取得する第４の手順と、
前記位置検索照合サーバが、取得した回線交換機に対し在圏情報を問い合わせた端末情報を送信して前記回線交換機から通話相手の端末情報を取得する第５の手順と、
前記位置検索照合サーバが、前記回線交換機から取得した通話相手の端末情報と、在圏情報を問い合わせなかった方の携帯端末から受信した自端末の端末情報とが一致するかを照合する第６の手順と、
前記第６の手順において一致した場合は、前記位置検索照合サーバが前記第１の携帯端末の位置情報を前記第２の携帯端末に送信する第７の手順と、を有することを特徴とする通話相手の位置検索方法。
【請求項１７】
通話中の双方の携帯端末からネットワークを介して受信した通話相手端末情報がそれぞれ一致しているかを照合する機能、通話中の一方の携帯端末から位置検索許諾情報と自端末の位置情報を、他方の携帯端末から位置検索要求情報を受信したかを確認する機能、前記照合が一致し位置検索許諾情報および位置検索要求情報の受信確認がなされた場合、位置検索許諾情報送信元の携帯端末の位置情報を位置検索要求情報送信元の携帯端末に送信する機能、をコンピュータに実現させるためのプログラム。
【請求項１８】
通話中の一方の携帯端末から位置検索許諾情報と自端末の位置情報と自端末，相手端末の端末情報とを、他方の端末から位置検索要求情報と自端末，相手端末の端末情報とを受信したことを確認した後、いずれかの携帯端末の自端末情報を基に在圏情報を外部データベースに問い合わせ、該当携帯端末の在圏している回線交換機を取得する機能、取得した回線交換機に対し在圏情報を問い合わせた端末情報を送信して前記回線交換機から通話相手の端末情報を取得する機能、前記回線交換機から取得した通話相手の端末情報と、在圏情報を問い合わせなかった方の携帯端末から受信した自端末の端末情報とが一致するかを照合する機能、一致した場合に位置検索許諾情報送信元の携帯端末の位置情報を位置検索要求情報送信元の携帯端末に送信する機能、をコンピュータに実現させるためのプログラム。
【請求項１９】
通話中の一方の携帯端末から位置検索許諾情報と自端末の位置情報と自端末，相手端末の端末情報とを、他方の端末から位置検索要求情報と自端末，相手端末の端末情報とを受信したことを確認した後、通話中の双方の携帯端末から受信した通話相手端末情報がそれぞれ一致しているかを照合する機能、前記照合が一致した場合、通話中のいずれかの携帯端末の端末情報を基に在圏情報を外部データベースに問い合わせ、該当携帯端末の在圏している回線交換機を取得する機能、取得した回線交換機に対し在圏情報を問い合わせた端末情報を送信して前記回線交換機から通話相手の端末情報を取得する機能、前記回線交換機から取得した通話相手の端末情報と、在圏情報を問い合わせなかった方の携帯端末から受信した自端末の端末情報とが一致するかを照合する機能、一致した場合に位置検索許諾情報送信元の携帯端末の位置情報を位置検索要求情報送信元の携帯端末に送信する機能、をコンピュータに実現させるためのプログラム。
【発明の詳細な説明】
【技術分野】
【０００１】
本発明は、通話相手の位置検索システム，位置検索照合サーバ，通話相手の位置検索方法およびプログラムに関し、特に、通話とデータ通信が同時に可能な携帯端末システムにおける通話相手の位置検索システム，位置検索照合サーバ，通話相手の位置検索方法およびプログラムに関する。
【背景技術】
【０００２】
従来の携帯端末における位置情報の通知に関しては、自携帯端末の位置情報を取得し、取得した位置情報を電子メールで自携帯端末から相手携帯端末に送信，表示させることが行われている（例えば、特許文献１参照）。
【０００３】
また、他携帯端末の位置情報取得を行うにあたっては、個人のプライバシー保護の問題があることから、予め位置情報の提供を許諾する携帯端末のグループを位置情報サービス提供装置に登録しておき、このグループ内に限定した位置情報提供を行う方法がある（例えば、特許文献２参照）。
【０００４】
【特許文献１】特開２００３−２５９４２６号公報（段落「００３１」〜「００３３」，図１）
【特許文献２】特開２００２−１９９４３３号公報（段落「０１０６」，「０１１４」〜「０１１７」，図１９，図２０）
【発明の開示】
【発明が解決しようとする課題】
【０００５】
しかし、上述した特許文献１，２における位置情報の取得，通知の処理は、通話とは無関係に独立した処理となっているため、通話中に相手側へリアルタイムに位置情報を送信するということはできなかった。
【０００６】
また、特許文献２に記載の発明においては、個人のプライバシー保護の問題を解決するために、予め位置情報の提供を許諾しあうグループを登録しておく必要があり、登録していない人については位置情報提供のサービスが受けられないという問題があった。
【０００７】
近年、携帯電話機等の携帯端末は急速に高機能化しつつあり、通話のみならずデータ通信も同時に行うことが可能になってきている（例えば、特開２００２−２１８５４３号公報，特開２００２−１８５３８７号公報，特開２０００−１３８５８号公報等に記載の発明や、今後商品化されると予想できるＩＰ電話機能付き携帯端末等）。
【０００８】
そこで、本発明の目的は、通話中のデータ通信機能を備えた携帯端末を用い、予め位置情報提供を許諾するグループ登録を行わなくても、個人のプライバシーを保護した位置情報提供を通話しながらリアルタイムに送受可能とする、通話相手の位置検索システム，位置検索照合サーバ，通話相手の位置検索方法およびプログラムを提供することにある。
【課題を解決するための手段】
【０００９】
本発明の第１の通話相手の位置検索システムは、通話中のデータ通信機能を備えた第１の携帯端末，第２の携帯端末と、位置検索照合サーバと、前記携帯端末に対する通話パスの提供を行う回線交換網と、前記携帯端末と前記位置検索照合サーバを接続するデータ通信サービス提供用のＩＰ網とを備えた通話相手の位置検索システムであって、
前記第１の携帯端末は、自端末の位置情報を取得し、位置検索許諾情報，自端末および通話相手である前記第２の携帯端末の端末情報とともに前記位置検索照合サーバに送信する手段を有し、
前記第２の携帯端末は、位置検索要求情報を自端末および通話相手である前記第１の携帯端末の端末情報とともに前記位置検索照合サーバに送信する手段と、前記位置検索照合サーバから送信された位置情報を表示する手段とを有し、
前記位置検索照合サーバは、前記第１および第２の携帯端末から受信した通話相手端末情報がそれぞれ一致しているかを照合する手段と、位置検索許諾情報および位置検索要求情報を受信したかを確認する手段と、前記照合が一致し位置検索許諾情報および位置検索要求情報の受信確認がなされた場合、前記第１の携帯端末の位置情報を前記第２の携帯端末に送信する手段とを有する。
【００１０】
本発明の第２の通話相手の位置検索システムは、通話中のデータ通信機能を備えた第１の携帯端末，第２の携帯端末と、回線交換機と、加入者在圏情報データベースと、位置検索照合サーバと、前記携帯端末に対する通話パスの提供や前記回線交換機と前記加入者在圏情報データベースを接続する回線交換網と、前記携帯端末と前記位置検索照合サーバを接続するデータ通信サービス提供用のＩＰ網とを備えた通話相手の位置検索システムであって、
前記第１の携帯端末は、自端末の位置情報を取得し、位置検索許諾情報，自端末および通話相手である前記第２の携帯端末の端末情報とともに前記位置検索照合サーバに送信する手段を有し、
前記第２の携帯端末は、位置検索要求情報を自端末および通話相手である前記第１の携帯端末の端末情報とともに前記位置検索照合サーバに送信する手段と、前記位置検索照合サーバから送信された位置情報を表示する手段とを有し、
前記回線交換機は、各携帯端末の通話パスを制御し、通話中の発信側，着信側端末情報を含む情報を格納，管理する手段を有し、
前記加入者在圏情報データベースは、前記回線交換機から各携帯端末の在圏状況を登録，更新され、各携帯端末がどこの回線交換機に在圏しているかを格納する手段を有し、
前記位置検索照合サーバは、位置検索許諾情報と位置検索要求情報を受信したことを確認した後、前記第１または第２の携帯端末の端末情報を基に在圏情報を前記加入者在圏情報データベースに問い合わせ、該当携帯端末の在圏している回線交換機を取得する手段と、取得した回線交換機に対し在圏情報を問い合わせた端末情報を送信して前記回線交換機から通話相手の端末情報を取得する手段と、前記回線交換機から取得した通話相手の端末情報と、在圏情報を問い合わせなかった方の携帯端末から受信した自端末の端末情報とが一致するかを照合する手段と、一致した場合は前記第１の携帯端末の位置情報を前記第２の携帯端末に送信する手段とを有する。
【００１１】
本発明の第３の通話相手の位置検索システムは、通話中のデータ通信機能を備えた第１の携帯端末，第２の携帯端末と、回線交換機と、加入者在圏情報データベースと、位置検索照合サーバと、前記携帯端末に対する通話パスの提供や前記回線交換機と前記加入者在圏情報データベースを接続する回線交換網と、前記携帯端末と前記位置検索照合サーバを接続するデータ通信サービス提供用のＩＰ網とを備えた通話相手の位置検索システムであって、
前記第１の携帯端末は、自端末の位置情報を取得し、位置検索許諾情報，自端末および通話相手である前記第２の携帯端末の端末情報とともに前記位置検索照合サーバに送信する手段を有し、
前記第２の携帯端末は、位置検索要求情報を自端末および通話相手である前記第１の携帯端末の端末情報とともに前記位置検索照合サーバに送信する手段と、前記位置検索照合サーバから送信された位置情報を表示する手段とを有し、
前記回線交換機は、各携帯端末の通話パスを制御し、通話中の発信側，着信側端末情報を含む情報を格納，管理する手段を有し、
前記加入者在圏情報データベースは、前記回線交換機から各携帯端末の在圏状況を登録，更新され、各携帯端末がどこの回線交換機に在圏しているかを格納する手段を有し、
前記位置検索照合サーバは、位置検索許諾情報と位置検索要求情報を受信したことを確認した後、前記第１および第２の携帯端末から受信した通話相手の端末情報がそれぞれ一致するかを照合する手段と、一致した場合は、前記第１または第２の携帯端末の端末情報を基に在圏情報を前記加入者在圏情報データベースに問い合わせ、該当携帯端末の在圏している回線交換機を取得する手段と、取得した回線交換機に対し在圏情報を問い合わせた端末情報を送信して前記回線交換機から通話相手の端末情報を取得する手段と、前記回線交換機から取得した通話相手の端末情報と、在圏情報を問い合わせなかった方の携帯端末から受信した自端末の端末情報とが一致するかを照合する手段と、一致した場合は前記第１の携帯端末の位置情報を前記第２の携帯端末に送信する手段とを有する。
【００１２】
本発明の第４の通話相手の位置検索システムは、本発明の第１，第２または第３の通話相手の位置検索システムにおいて、前記位置検索照合サーバは、前記照合により位置情報提供可の確認ができた前記第１および第２の携帯端末の情報を登録する手段と、その後定期的に前記第１の携帯端末の位置情報を前記第２の携帯端末に通知する手段とを、さらに有する。
【００１３】
本発明の第５の通話相手の位置検索システムは、本発明の第１，第２，第３または第４の通話相手の位置検索システムにおいて、前記位置検索システムに位置情報サーバをさらに備え、前記第２の携帯端末に送信される位置情報は、前記位置検索照合サーバが前記位置サーバに誤差補正を依頼し、前記位置情報サーバから受信した補正後の位置情報であることを特徴とする。
【００１４】
本発明の第１の位置検索照合サーバは、通話中の双方の携帯端末からネットワークを介して受信した通話相手端末情報がそれぞれ一致しているかを照合する手段と、通話中の一方の携帯端末から位置検索許諾情報と自端末の位置情報を、他方の携帯端末から位置検索要求情報を受信したかを確認する手段と、前記照合が一致し位置検索許諾情報および位置検索要求情報の受信確認がなされた場合、位置検索許諾情報送信元の携帯端末の位置情報を位置検索要求情報送信元の携帯端末に送信する手段とを有する。
【００１５】
本発明の第２の位置検索照合サーバは、通話中のデータ通信機能を備えた携帯端末と、回線交換機と、加入者在圏情報データベースとにネットワークを介して接続される位置検索照合サーバであって、通話中の一方の携帯端末から位置検索許諾情報と自端末の位置情報と自端末，相手端末の端末情報とを、他方の端末から位置検索要求情報と自端末，相手端末の端末情報とを受信したことを確認した後、いずれかの携帯端末の自端末情報を基に在圏情報を前記加入者在圏情報データベースに問い合わせ、該当携帯端末の在圏している回線交換機を取得する手段と、取得した回線交換機に対し在圏情報を問い合わせた端末情報を送信して前記回線交換機から通話相手の端末情報を取得する手段と、前記回線交換機から取得した通話相手の端末情報と、在圏情報を問い合わせなかった方の携帯端末から受信した自端末の端末情報とが一致するかを照合する手段と、一致した場合は位置検索許諾情報送信元の携帯端末の位置情報を位置検索要求情報送信元の携帯端末に送信する手段とを有する。
【００１６】
本発明の第３の位置検索照合サーバは、通話中のデータ通信機能を備えた携帯端末と、回線交換機と、加入者在圏情報データベースとにネットワークを介して接続される位置検索照合サーバであって、通話中の一方の携帯端末から位置検索許諾情報と自端末の位置情報と自端末，相手端末の端末情報とを、他方の端末から位置検索要求情報と自端末，相手端末の端末情報とを受信したことを確認した後、通話中の双方の携帯端末から受信した通話相手端末情報がそれぞれ一致しているかを照合する手段と、前記照合が一致した場合、通話中のいずれかの携帯端末の端末情報を基に在圏情報を前記加入者在圏情報データベースに問い合わせ、該当携帯端末の在圏している回線交換機を取得する手段と、取得した回線交換機に対し在圏情報を問い合わせた端末情報を送信して前記回線交換機から通話相手の端末情報を取得する手段と、前記回線交換機から取得した通話相手の端末情報と、在圏情報を問い合わせなかった方の携帯端末から受信した自端末の端末情報とが一致するかを照合する手段と、一致した場合は位置検索許諾情報送信元の携帯端末の位置情報を位置検索要求情報送信元の携帯端末に送信する手段とを有する。
【００１７】
本発明の第４の位置検索照合サーバは、本発明の第１，第２または第３の位置検索照合サーバにおいて、前記照合により位置情報提供可の確認ができた通話中の携帯端末情報を登録する手段と、その後定期的に前記位置検索許諾情報送信元の携帯端末の位置情報を前記位置検索要求情報送信元の携帯端末に通知する手段とを、さらに有することを特徴とする。
【００１８】
本発明の第５の位置検索照合サーバは、本発明の第１，第２，第３または第４の位置検索照合サーバにおいて、前記位置検索要求情報送信元の携帯端末に送信される位置情報は、外部装置に誤差補正を依頼し受信した補正後の位置情報であることを特徴とする。
【００１９】
本発明の第１の通話相手の位置検索方法は、通話中の一方の端末から通話相手の位置情報の取得要求が、他方の端末から位置情報提供の許諾通知がそれぞれデータ通信ネットワークを介してサーバに送信されるとともに、双方の端末から送信された相手端末情報がそれぞれ一致した場合に、前記他方の端末から前記サーバが受信した位置情報を前記一方の端末に送信することを特徴とする。
【００２０】
本発明の第２の通話相手の位置検索方法は、通話中の一方の端末から通話相手の位置情報の取得要求が、他方の端末から位置情報提供の許諾通知がそれぞれデータ通信ネットワークを介してサーバに送信され、前記サーバが回線交換機に対し双方の端末が通話中であるかを確認し、通話中の確認がとれた場合に、前記他方の端末から前記サーバが受信した位置情報を前記一方の端末に送信することを特徴とする。
【００２１】
本発明の第３の通話相手の位置検索方法は、通話中の一方の端末から通話相手の位置情報の取得要求が、他方の端末から位置情報提供の許諾通知がそれぞれデータ通信ネットワークを介してサーバに送信されるとともに、双方の端末から送信された相手端末情報がそれぞれ一致した場合に、前記サーバが回線交換機に対し双方の端末が通話中であるかを確認し、通話中の確認がとれた場合に、前記他方の端末から前記サーバが受信した位置情報を前記一方の端末に送信することを特徴とする。
【００２２】
本発明の第４の通話相手の位置検索方法は、通話中のデータ通信機能を備えた第１の携帯端末，第２の携帯端末と、位置検索照合サーバと、前記携帯端末に対する通話パスの提供を行う回線交換網と、前記携帯端末と前記位置検索照合サーバを接続するデータ通信サービス提供用のＩＰ網とを用いた通話相手の位置検索方法であって、
前記第１の携帯端末が、自端末の位置情報を取得し、位置検索許諾情報，自端末および通話相手である前記第２の携帯端末の端末情報とともに前記位置検索照合サーバに送信する第１の手順と、
前記第２の携帯端末が、位置検索要求情報を自端末および通話相手である前記第１の携帯端末の端末情報とともに前記位置検索照合サーバに送信する第２の手順と、
前記位置検索照合サーバが、前記第１および第２の携帯端末から受信した通話相手端末情報がそれぞれ一致しているかを照合する第３の手順と、
前記位置検索照合サーバが、位置検索許諾情報および位置検索要求情報を受信したかを確認する第４の手順と、
前記第３の手順における照合が一致し、前記第４の手順における位置検索許諾情報および位置検索要求情報の受信確認がなされた場合、前記第１の携帯端末の位置情報を前記第２の携帯端末に送信する手順と、を有することを特徴とする。
【００２３】
本発明の第５の通話相手の位置検索方法は、通話中のデータ通信機能を備えた第１の携帯端末，第２の携帯端末と、回線交換機と、加入者在圏情報データベースと、位置検索照合サーバと、前記携帯端末に対する通話パスの提供や前記回線交換機と前記加入者在圏情報データベースを接続する回線交換網と、前記携帯端末と前記位置検索照合サーバを接続するデータ通信サービス提供用のＩＰ網とを用いた通話相手の位置検索方法であって、
前記第１の携帯端末が、自端末の位置情報を取得し、位置検索許諾情報，自端末および通話相手である前記第２の携帯端末の端末情報とともに前記位置検索照合サーバに送信する第１の手順と、
前記第２の携帯端末が、位置検索要求情報を自端末および通話相手である前記第１の携帯端末の端末情報とともに前記位置検索照合サーバに送信する第２の手順と、
前記位置検索照合サーバが、位置検索許諾情報と位置検索要求情報を受信したことを確認した後、前記第１または第２の携帯端末の端末情報を基に在圏情報を前記加入者在圏情報データベースに問い合わせ、該当携帯端末の在圏している回線交換機を取得する第３の手順と、
前記第３の手順で取得した回線交換機に対し、前記位置検索照合サーバが在圏情報を問い合わせた端末情報を送信して前記回線交換機から通話相手の端末情報を取得する第４の手順と、
前記位置検索照合サーバが、前記回線交換機から取得した通話相手の端末情報と、在圏情報を問い合わせなかった方の携帯端末から受信した自端末の端末情報とが一致するかを照合する第５の手順と、
前記第５の手順において一致した場合は、前記位置検索照合サーバが、前記第１の携帯端末の位置情報を前記第２の携帯端末に送信する第６の手順と、を有することを特徴とする。
【００２４】
本発明の第６の通話相手の位置検索方法は、通話中のデータ通信機能を備えた第１の携帯端末，第２の携帯端末と、回線交換機と、加入者在圏情報データベースと、位置検索照合サーバと、前記携帯端末に対する通話パスの提供や前記回線交換機と前記加入者在圏情報データベースを接続する回線交換網と、前記携帯端末と前記位置検索照合サーバを接続するデータ通信サービス提供用のＩＰ網とを用いた通話相手の位置検索方法であって、
前記第１の携帯端末が、自端末の位置情報を取得し、位置検索許諾情報，自端末および通話相手である前記第２の携帯端末の端末情報とともに前記位置検索照合サーバに送信する第１の手順と、
前記第２の携帯端末が、位置検索要求情報を自端末および通話相手である前記第１の携帯端末の端末情報とともに前記位置検索照合サーバに送信する第２の手順と、
前記位置検索照合サーバが、位置検索許諾情報と位置検索要求情報を受信したことを確認した後、前記第１および第２の携帯端末から受信した通話相手の端末情報がそれぞれ一致するかを照合する第３の手順と、
前記第３の手順において一致した場合は、前記位置検索照合サーバが、前記第１または第２の携帯端末の端末情報を基に在圏情報を前記加入者在圏情報データベースに問い合わせ、該当携帯端末の在圏している回線交換機を取得する第４の手順と、
前記位置検索照合サーバが、取得した回線交換機に対し在圏情報を問い合わせた端末情報を送信して前記回線交換機から通話相手の端末情報を取得する第５の手順と、
前記位置検索照合サーバが、前記回線交換機から取得した通話相手の端末情報と、在圏情報を問い合わせなかった方の携帯端末から受信した自端末の端末情報とが一致するかを照合する第６の手順と、
前記第６の手順において一致した場合は、前記位置検索照合サーバが前記第１の携帯端末の位置情報を前記第２の携帯端末に送信する第７の手順と、を有することを特徴とする通話相手の位置検索方法。
【００２５】
本発明の第１のプログラムは、通話中の双方の携帯端末からネットワークを介して受信した通話相手端末情報がそれぞれ一致しているかを照合する機能、通話中の一方の携帯端末から位置検索許諾情報と自端末の位置情報を、他方の携帯端末から位置検索要求情報を受信したかを確認する機能、前記照合が一致し位置検索許諾情報および位置検索要求情報の受信確認がなされた場合、位置検索許諾情報送信元の携帯端末の位置情報を位置検索要求情報送信元の携帯端末に送信する機能、をコンピュータに実現させる。
【００２６】
本発明の第２のプログラムは、通話中の一方の携帯端末から位置検索許諾情報と自端末の位置情報と自端末，相手端末の端末情報とを、他方の端末から位置検索要求情報と自端末，相手端末の端末情報とを受信したことを確認した後、いずれかの携帯端末の自端末情報を基に在圏情報を外部データベースに問い合わせ、該当携帯端末の在圏している回線交換機を取得する機能、取得した回線交換機に対し在圏情報を問い合わせた端末情報を送信して前記回線交換機から通話相手の端末情報を取得する機能、前記回線交換機から取得した通話相手の端末情報と、在圏情報を問い合わせなかった方の携帯端末から受信した自端末の端末情報とが一致するかを照合する機能、一致した場合に位置検索許諾情報送信元の携帯端末の位置情報を位置検索要求情報送信元の携帯端末に送信する機能、をコンピュータに実現させる。
【００２７】
本発明の第３のプログラムは、通話中の一方の携帯端末から位置検索許諾情報と自端末の位置情報と自端末，相手端末の端末情報とを、他方の端末から位置検索要求情報と自端末，相手端末の端末情報とを受信したことを確認した後、通話中の双方の携帯端末から受信した通話相手端末情報がそれぞれ一致しているかを照合する機能、前記照合が一致した場合、通話中のいずれかの携帯端末の端末情報を基に在圏情報を外部データベースに問い合わせ、該当携帯端末の在圏している回線交換機を取得する機能、取得した回線交換機に対し在圏情報を問い合わせた端末情報を送信して前記回線交換機から通話相手の端末情報を取得する機能、前記回線交換機から取得した通話相手の端末情報と、在圏情報を問い合わせなかった方の携帯端末から受信した自端末の端末情報とが一致するかを照合する機能、一致した場合に位置検索許諾情報送信元の携帯端末の位置情報を位置検索要求情報送信元の携帯端末に送信する機能、をコンピュータに実現させる。
【発明の効果】
【００２８】
本発明においては、以下に記載するような効果を奏する。
【００２９】
第１の効果は、通話中に位置検索情報を送受しているので、通話中の相手をネットワーク側で特定でき、プライバシーを保護した位置情報の提供が行えることである。
【００３０】
第２の効果は、通話中にリアルタイムなデータ通信を行っているので、予め位置情報提供を許諾するグループ登録を行わなくても位置情報提供ができることである。
【００３１】
第３の効果は、通話中に位置情報を送信することで、位置情報に含まれる誤差を通話により補うことができることである。
【発明を実施するための最良の形態】
【００３２】
本発明を実施するための最良の形態について図面を参照して詳細に説明する。
【００３３】
図１は、本発明を実施するための最良の形態のシステム構成の一例を示す図であり、携帯端末１，２と、位置検索照合サーバ３と、位置情報サーバ４と、回線交換機５と、加入者在圏情報データベース６とを備えており、これらは回線交換網７，ＩＰ網８を介して接続される。
【００３４】
携帯端末１，２は、通話とデータ通信を同時に行うことが可能な携帯端末であり、ＧＰＳ（Ｇlobal Ｐositioning Ｓystem）等の位置検索機能や受信した位置情報の表示機能を備えている。この携帯端末１，２は、例えば、携帯電話機，ＰＨＳ，自動車に搭載される通信機能付きカーナビゲーション端末である。なお、通話相手の携帯端末から位置情報を受信する側の端末としては、例えば固定網のＩＰ電話端末であってもよい。
【００３５】
位置検索照合サーバ３は、サーバ・ワークステーション等の情報処理装置であり、位置検索要求に対する携帯端末１および携帯端末２の正当性（許諾された位置情報提供であること）を確認するための、携帯端末１および携帯端末２の通話状態を問い合わせて照合する機能と、位置情報サーバ４に位置情報の補正を要求し補正された位置情報を位置検索要求を行った携帯端末に通知する機能とを備えている。なお、位置検索照合サーバ３は、図示していない記憶手段に記憶されたプログラムにより制御される。
【００３６】
位置情報サーバ４は、サーバ・ワークステーション等の情報処理装置であり、位置検索照合サーバ３からのＧＰＳ情報を受信し、ネットワーク側で緯度，経度情報を誤差補正して、精度の向上した位置情報を位置検索照合サーバ３に返信する機能を備えている。
【００３７】
回線交換機５は、図示しない基地局装置を介した携帯端末１および携帯端末２の通話パスを制御し、通話パスの確立から解放までを監視・制御する機能を備えている。そして、通話中の端末情報（例えば、発信側端末ＩＤと着信側端末ＩＤとを対応付けた情報等）を格納，管理している。
【００３８】
加入者在圏情報データベース６は、読み出し，書き込み可能な記憶装置であり、携帯端末１および携帯端末２がどこの回線交換機５に在圏しているかを管理している。詳細には、回線交換機５から携帯端末１，２の在圏状況を登録，更新される。
【００３９】
回線交換網７は、携帯端末１，２に対する通話パスの提供や、回線交換機５と加入者在圏情報データベース６を接続するネットワークである。
【００４０】
ＩＰ網８は、携帯通信事業者が携帯端末に対して、例えば、ｉモード（ＮＴＴドコモの商標）等のデータ通信サービスを提供するＩＰネットワークであり、携帯端末１，２と位置検索照合サーバ３や、位置検索照合サーバ３と位置情報サーバ４、を相互に接続する。
【００４１】
次に、図２（位置検索照合サーバ３の構成を示すブロック図）を参照すると、図１の位置検索照合サーバ３の詳細な構成が示されており、位置検索照合サーバ３は、携帯端末通信機能部３１と、通話相手照合部３２と、通話相手登録部３３と、回線交換網インタフェース部３４と、位置情報サーバインタフェース部３５とを備えている。
【００４２】
携帯端末通信機能部３１は、携帯端末１および携帯端末２とのデータ通信を行い、通話中に位置情報を提供する側の携帯端末からは、位置検索許諾情報，ＧＰＳ情報，自端末および相手端末の端末情報（例えば、電話番号等の端末ＩＤ）の取得を行い、通話相手の位置情報を取得する側の携帯端末からは、位置検索要求情報，自端末および相手端末の端末情報（例えば、電話番号等の端末ＩＤ）の取得を行うとともに、位置情報を取得する側の携帯端末に対して相手端末の位置情報の送信を行う。
【００４３】
通話相手照合部３２は、通話中の携帯端末１，携帯端末２から受信した情報を基に、回線交換網インタフェース部３４を介して、携帯端末１および携帯端末２が実際に通話を行っているか確認を行い、その結果を照合して位置情報の提供可否を判断する。
【００４４】
通話相手登録部３３は、位置情報提供可の確認ができた携帯端末１および携帯端末２の情報（例えば、端末アドレスや位置情報提供側端末，位置情報要求側端末等）を登録しておき、位置情報の変化を定期的に通知する場合の確認を行う。
【００４５】
回線交換網インタフェース部３４は、回線交換網７側の加入者在圏情報データベース６から携帯端末１または携帯端末２が在圏している交換機情報を取得する。また、回線交換機５から在圏している携帯端末が通話している相手の端末情報（例えば、電話番号等の端末ＩＤ）を取得する。
【００４６】
位置情報サーバインタフェース部３５は、携帯端末から受信したＧＰＳ情報を位置情報サーバ４に補正依頼する場合に、位置情報サーバ４のインタフェースに合わせて通信を行うインターフェース部である。
【００４７】
以上、本発明のシステム構成を述べたが、図１の携帯端末１，携帯端末２，位置情報サーバ，回線交換機５，加入者在圏情報データベース６は、当業者にとってよく知られており、また本発明とは直接関係しないので、その詳細な構成は省略する。
【００４８】
なお、回線交換機５および加入者在圏情報データベース６については、ＩＰ電話でのＳＩＰサーバおよびプレゼンスサーバでも構成できる。
【００４９】
次に、本発明を実施するための最良の形態の動作について図１および図３を参照して説明する。図３は、本発明を実施するための最良の形態の動作を示すフローチャートである。
【００５０】
最初に、本発明を実施するための第１の最良の形態の動作について説明する。
【００５１】
なお、図３による動作説明の前提条件として、携帯端末１と携帯端末２は回線交換機５を介して通話中であり、加入者在圏情報データベース６は携帯端末１と携帯端末２が回線交換機５に在圏している情報を保持しているとする。
【００５２】
図３を参照すると、通話中の携帯端末１から位置検索照合サーバ３に対して、自端末の位置情報の提供を許諾する位置検索許諾情報と、自己測位したＧＰＳ情報と、自端末および通話相手である携帯端末２の端末情報（例えば、電話番号等の端末ＩＤ）とを通知する（３−１  位置検索許諾通知）。
【００５３】
携帯端末２が位置検索照合サーバ３に対して、通話相手の位置情報の取得を要求する位置検索要求情報と、自端末および通話相手である携帯端末１の端末情報（例えば、電話番号等の端末ＩＤ）とを通知し、携帯端末１の位置検索要求を行う（３−２  位置検索要求）。
【００５４】
位置検索照合サーバ３は、位置検索許諾情報と位置検索要求情報を受信したことを確認した後、加入者在圏情報データベース６に対して携帯端末１の端末ＩＤを送信し、携帯端末１が在圏している回線交換機の情報を問い合わせる（３−３  在圏情報問い合わせ）。
【００５５】
加入者在圏情報データベース６は、位置検索照合サーバ３に対して、携帯端末１が在圏している回線交換機５の情報を応答する（３−４  在圏情報問い合わせ応答）。
【００５６】
位置検索照合サーバ３は、加入者在圏情報データベース６から受信した回線交換機５に対して携帯端末１の端末ＩＤを送信し、携帯端末１が通話している相手の情報を問い合わせる（３−５  通話確認）。
【００５７】
回線交換機５は、位置検索照合サーバ３に対して、携帯端末１が通話している相手の端末情報（電話番号）を応答する（３−６  通話確認応答）。
【００５８】
位置検索照合サーバ３は、回線交換機５から受信した携帯端末１の通話相手情報（携帯端末の電話番号）と、携帯端末２から受信した携帯端末２の端末情報（電話番号）が一致しているか、また携帯端末２から位置検索要求情報を受信しているかを照合し、携帯端末２に対する携帯端末１の位置情報の提供可否を判断する。なお、照合内容としては上述したものに限定されず、携帯端末１，２から受信した通話中の端末情報が回線交換機５から回答された通話中の端末情報により裏づけられればよいため、他の組み合わせにより照合することも可能である（３−７  位置検索許容可否）。
【００５９】
位置検索照合サーバ３は、照合結果が正しくない場合は、携帯端末２に対して不正要求である旨を応答する（３−８  不正要求である旨の応答）。
【００６０】
位置検索照合サーバ３は、照合結果が正しければ、位置情報サーバ４に対して携帯端末１から受信したＧＰＳ情報を通知し、位置情報補正の要求を行う（３−９  位置情報補正要求）。
【００６１】
位置情報サーバ４は、位置検索照合サーバ３に対して、位置情報補正を行った結果を送信する（３−１０  位置情報補正応答）。
【００６２】
位置検索照合サーバ３は、補正された位置情報を携帯端末２に対して送信する。このとき送信される位置情報は緯度，経度情報でもよいし、地図情報に変換したものであってもよい。携帯端末２は受信した位置情報を表示する（３−１１  位置情報提供）。
【００６３】
この後、位置検索照合サーバ３の通話相手登録部３３は、位置情報提供可の確認ができた携帯端末１および携帯端末２の情報（例えば、端末アドレスや位置情報提供側端末，位置情報要求側端末等）を登録しておき、定期的に位置情報提供側端末（携帯端末１）からＧＰＳ情報を取得し、位置情報要求側端末（携帯端末２）に通知する。この通知の要否については、位置検索照合サーバ３におけるシステム設定で行うようにしてもよいし、位置情報要求側端末からの要求があった場合に行うようにしてもよい（３−１２  継続的な位置情報提供）。
【００６４】
なお、以上説明した実施の形態において、位置検索照合サーバ３を機能毎に分けて複数の装置として構成することも可能である。また、位置検索照合サーバ３を位置情報サーバ４に含める構成も可能である。
【００６５】
次に、本発明を実施するための第２の最良の形態について説明する。
【００６６】
本実施の形態は、簡易な位置検索許容可否判断を実現するものである。上述した第１の最良の形態においては、図３において通話確認を行う手順３−３から３−６を記載しているが、本実施の形態は、携帯端末１と携帯端末２からの情報３−１，３−２だけで３−７位置検索許容可否判断を実行するものであり、図３の手順３−３から３−６は削除される。また、図１の加入者在圏情報データベース６は構成上不要となるとともに、回線交換機５も携帯端末１，２の通話のためだけに用いられることになる。また、図２の位置検索照合サーバ３の構成においても回線交換網インタフェース部３４が不要となる。本実施の形態の手順３−７位置検索許容可否判断においては、位置検索照合サーバ３の通話相手照合部３２は、携帯端末１，携帯端末２から受信した通話相手端末情報がそれぞれ一致しているか（携帯端末１の相手端末情報が携帯端末２であり、携帯端末２の相手端末情報が携帯端末１であるか）を照合するとともに、位置検索許諾情報および位置検索要求情報を受信したかを確認することで位置情報の提供可否を判断する。すなわち、照合が一致し位置検索許諾情報および位置検索要求情報の受信確認がなされた場合、位置情報の提供可と判断する。なお、この照合対象は上述したものに限定されず、携帯端末１，２から受信した情報の種々の組み合わせで照合することも可能である。
【００６７】
次に、本発明を実施するための第３の最良の形態について説明する。
【００６８】
本実施の形態は、上記第１の最良の形態と第２の最良の形態を組み合わせたものであり、位置検索許容可否判断を２回行うことを特徴としている。すなわち、図３において、１回目の位置検索許容可否判断を処理３−２と３−３の間に追加し、位置検索照合サーバ３は、携帯端末１と携帯端末２からの情報３−１，３−２だけで位置検索許容可否判断を実行する。その結果、許容可と判断された場合は処理３−３に進み、許容否と判断された場合は携帯端末２に対して不正要求である旨を応答する。手順３−３以降の処理については図３に同じである。
【００６９】
なお、第１〜第３の最良の形態において、位置情報サーバ４を利用した位置情報補正を行う手順３−９，３−１０を省略する簡易的な方法も可能である。また、手順３−９，３−１０を、手順３−１の前に携帯端末１と位置情報サーバ４の間で実施しておくことも可能である。この場合は、手順３−１において携帯端末１から位置検索照合サーバ３に送信されるＧＰＳ情報は、位置情報サーバ４により補正されたものとなる。
【００７０】
また、第１〜第３の最良の形態において、携帯端末１から携帯端末２への一方通行的な位置情報の提供だけでなく、携帯端末１，２双方から位置情報をお互いに提供しあうことも可能である。
【００７１】
また、第１〜第３の最良の形態において、図３の手順３−１２の継続的な位置検索を行う場合には、位置検索照合サーバ３を介する方法と、携帯端末１と携帯端末２の間で直接位置検索情報を送受する方法も可能である。
【００７２】
また、第１または第３の最良の形態において、位置検索照合サーバ３が携帯端末１（位置情報提供側）の通話相手情報を回線交換機５に問い合わせることで説明したが、携帯端末２（位置情報要求側）の通話相手情報を問い合わせるようにすることも可能である。この場合は、回線交換機５から受信した携帯端末２の通話相手情報と、携帯端末１から受信した携帯端末１の端末情報が一致しているか、また携帯端末１から位置検索許諾情報を受信しているかを照合し、携帯端末２に対する携帯端末１の位置情報の提供可否を判断することになる。
【産業上の利用可能性】
【００７３】
携帯端末を所有した者同士による場所を特定した待ち合わせだけでなく、移動中の合流に有効である。
【００７４】
また、携帯端末を所有した者同士だけでなく、カーナビゲーションシステムの分野において、移動体（携帯端末やカーナビ端末）を目標としてルート検索を行うことが可能となる。これにより、待ち合わせやツーリングドライブ時の便宜を図ることができる。
【図面の簡単な説明】
【００７５】
【図１】本発明を実施するための最良の形態のシステム構成の一例を示す図である。
【図２】位置検索照合サーバ３の構成を示すブロック図である。
【図３】本発明を実施するための最良の形態の動作を示すフローチャートである。
【符号の説明】
【００７６】
１，２    携帯端末
３    位置検索照合サーバ
３１    携帯端末通信機能部
３２    通話相手照合部
３３    通話相手登録部
３４    回線交換網インタフェース部
３５    位置情報サーバインタフェース部
４    位置情報サーバ
５    回線交換機
６    加入者在圏情報データベース
７    回線交換網
８    ＩＰ網
【図１】
2005151014.tif 000003
【図２】
2005151014.tif 000004
【図３】
2005151014.tif 000005